(57)【特許請求の範囲】
【請求項１】
車両の上張り部材（１）における、スピーカー遮蔽体（６）によって覆われたスピーカー（８）のための固定装置であって、
その際、この上張り部材（１）が、このスピーカー（８）に隣接して空隙部（９）を有しており、
これらスピーカー遮蔽体（６）および保持部材（７）が、固定ねじ（１５）によって互いに結合されており、且つ、これらスピーカー遮蔽体（６）および保持部材（７）が、この上張り部材（１）の向き合っている側面に支持されている様式の上記固定装置において、
スピーカー遮蔽体（６）に、多数の、互いに間隔を有して設けられた、このスピーカー遮蔽体から突出する中空円筒体（１１、１２）が設けられており、
これら中空円筒体が、上張り部材（１）に形成された陥入部（１０）を通って貫通突出しており、
その際、この上張り部材（１）を突出したそれぞれの中空円筒体（１１、１２）の自由な端部（１４）上に、保持部材（７）か、それともスピーカー（８）が載置され、且つ、これら端部に、ねじ込まれた固定ねじ（１５、１６）によって、その位置に保持されているように構成されていること、
その際、平らに構成したスピーカー遮蔽体（６）に、少なくとも２つの中空円筒体（１１）が保持部材（７）との結合のために、および少なくとも更に２つの中空円筒体（１２）がスピーカー（８）を固定するために形成されていること、
を特徴とする固定装置。
【請求項２】
２つの、それぞれに互いに設けられた中空円筒体（１１、１２）は、対角線状に相対して位置するように、スピーカー遮蔽体（６）に設けられていることを特徴とする請求項１に記載の固定装置。
【請求項３】
上記形成される中空円筒体（１１、１２）は、スピーカー遮蔽体（６）と共に１つの部材から成るように形成されていることを特徴とする請求項１または２に記載の固定装置。
【請求項４】
スピーカー遮蔽体（６）は、適当な合成物質から成るインジェクションモールディング部材によって形成されていることを特徴とする請求項１から３のいずれか一つに記載の固定装置。
【請求項５】
上張り部材（１）の陥入部（１０）は、中央の空隙部（９）の外側に且つ隣接して設けられていることを特徴とする請求項１に記載の固定装置。
【請求項６】
保持部材（７）の位置正確な位置決めのために、この保持部材に、局所的につぼ形に形成された収容部（１７）が形成されており、これら収容部が、スピーカー遮蔽体（６）の所属する中空円筒体（１１）の自由な端部（１４）を部分的に囲繞するように構成されていることを特徴とする請求項１に記載の固定装置。
【請求項７】
保持部材（７）は、少なくとも２つの相対して位置するように設けられたスピーカー遮蔽体（６）の中空円筒体（１１）に載置し、且つ、周囲に延在する縁部側方の縁部（１８）でもって、上張り部材（１）の内側側に支持されているように構成されていることを特徴とする請求項１から６のいずれか一つに記載の固定装置。
【請求項８】
スピーカー（８）は、このスピーカーの固定装置の領域において、中空円筒体（１２）の自由な端部の端面に載置し、且つ、固定ねじ（１６）によって、中空円筒体（１２）もしくは保持部材（７）に対して固定され、その際、このスピーカー（８）と保持部材（７）との間で、周囲に延在する封隙体（１９）が間挿されているように構成されていることを特徴とする請求項１から７のいずれか一つに記載の固定装置。
【請求項９】
上記形成される中空円筒体（１１、１２）は、円筒状の中空部（２０）として形成されており、これら円筒状の中空部が、客室（３）に向かって閉鎖されており、その際、これら円筒状の中空部（２０）内に背面側から固定ねじ（１５、１６）がねじ込まれているように構成されていることを特徴とする請求項１から８のいずれか一つに記載の固定装置。
【発明の詳細な説明】
【０００１】
【発明の属する技術分野】
本発明は、特許請求項１の上位概念による、車両の上張り部材における、スピーカー遮蔽体によって覆われたスピーカーのための固定装置に関する。
【０００２】
【従来の技術】
米国特許第４，９９３，５１０号明細書から、スピーカー固定装置は明瞭であり、その際、スピーカーが、直接的に、スピーカー遮蔽体の内側面に固定されており、且つ、このスピーカー遮蔽体が、保持部材によって、上張り部材に対して固定されている。この配設は、このスピーカー遮蔽体が、このスピーカーの構造深さに基づいて、相対的に遠くに客室内へと挿入することの欠点がある。更に、機能しないスピーカーの交換の際に、スピーカー遮蔽体および保持部材は、上張り部材から取り外しされねばならない。
【０００３】
【発明が解決しようとする課題】
従って、本発明の課題は、車両の上張り部材における、スピーカーのための固定装置を、このスピーカー遮蔽体がただ最小限にだけ客室内に挿入されるように、および、機能しないスピーカーの交換が、可能な限り簡単に、スピーカー遮蔽体および保持部材からの取り外し無しに実施可能であるように改良することである。
【０００４】
【課題を解決するための手段】
この課題は本発明に従い、請求項１の特徴によって解決される。更に本発明を有利な方法において発展させた特徴は、従属請求項に記載されている。
【０００５】
本発明でもって主として達せられる利点は、成形された中空円筒体（ドーム状部材）を有する平らに構成したスピーカー遮蔽体、およびスピーカーを収容する保持部材によって、スピーカー固定装置が形成され、このスピーカー固定装置が、ただ二義的にだけ客室内に挿入し、且つ、このスピーカー固定装置を用いて、簡単な、問題のないスピーカー交換が、このスピーカー遮蔽体および保持部材からの取り外し無しに可能であることの点にある。これらスピーカー遮蔽体および保持部材は、簡単に、製造することができるコストの安い構造部材である。完全装備のスピーカー装置は、簡単に組み付け可能である。このスピーカーの取り外しのために、単に、２つの固定ねじが除去されるべきであり、これに対して、スピーカー遮蔽体および保持部材は、上張り部材に留まる。
【０００６】
本発明の実施例を図に示し、以下において詳しく説明する。
【０００７】
【発明の実施の形態】
図１において、詳細には図示されていない車両の客室３内に設けられた上張り部材１が示されており、この上張り部材は、この実施例において、直立したピラー上張り２によって形成されている。この上張り部材１は、例えば、適当な合成物質から成るインジェクションモールディング部材として製造されており、且つ客室３に向けられた側面上に、粗面または装飾的な張り布を備えている。上張り部材１の固定は、詳細に図示されていない車両の車体に、従来の方法で、クリップ、ねじ、等によって行われる。
【０００８】
上張り部材１の下方に位置する領域４において、スピーカー装置５が設けられており、このスピーカー装置は、スピーカー遮蔽体６、保持部材７、およびスピーカー８から構成されている。この上張り部材１に、このスピーカー８の前方に設けられた状態で、音響通過開口部の役目を果たす中心の空隙部９が形成されている。
【０００９】
スピーカー装置５を固定するために、上張り部材１に、しかも空隙部９の外側に且つ隣接して、多数の陥入部１０が配置されており、これら陥入部を通って、スピーカー遮蔽体６の、成形された突出する中空円筒体（ドーム状部材）１１、１２が貫通案内されており、その際、これら中空円筒体１１、１２は上張り部材１から後方へと領域的に突出している。この上張り部材１における空隙部９を、全面的に覆うスピーカー遮蔽体６は、前方から、客室３に向けられた上張り部材１の側面の上に載置され、且つ、少なくとも領域的に、外側の周囲に延在する閉鎖されたフレームを備える格子形の構造を有している（図１）。客室３に向かって、このスピーカー遮蔽体６は、平らに構成して形成されている。これら射出成形された中空円筒体１１、１２は、客室３から可視のスピーカー遮蔽体６の面１３に対してほぼ直角に整向されており、且つ、円筒状の中空部２０として形成されており、その際、この円筒状の中空部２０が客室３に向かって閉鎖されている。
【００１０】
スピーカー遮蔽体６と向かい合って位置している上張り部材１の側面から、中空円筒体１１の自由な端部１４に、保持部材７は載置され、且つ固定ねじ１５によって、これら中空円筒体１１に固定される（図４）。更に、スピーカー８は、環状に形成された保持部材７上に載置されており、且つこれらスピーカー遮蔽体６の中空円筒体１２に、固定ねじ１６によって、その位置に保持されている（図５）。
【００１１】
有利には、スピーカー遮蔽体６に、少なくとも２つの中空円筒体１１が保持部材７との結合のために、および更に少なくとも２つの中空円筒体１２がスピーカー８を固定するために設けられている。これら２つの、それぞれに互いに設けられた中空円筒体１１、１２は、対角線状に相対して位置するように、スピーカー遮蔽体６に形成されている（図３を参照）。このスピーカー遮蔽体６に、しかしながら同様に、保持部材７と結合するための２つの中空円筒体よりも、もしくはスピーカーを固定するための２つの中空円筒体よりも、より多いまたはより少ない中空円筒体を設けることも可能である。
【００１２】
保持部材７の位置正確な位置決めのために、この保持部材は、局所的につぼ形に形成された収容部１７を有しており、これら収容部が、所属する中空円筒体１１の自由な端部１４を部分的に囲繞する（図４）。更に、環状に形成された保持部材７は、周囲に延在する外側の縁部１８でもって、上張り部材１の背面側に、しかも空隙部９の外側で支持されている。この縁部１８は、この縁部の長手方向の延在部に沿って、異なる高さ経過を有している。
【００１３】
スピーカー８は、周囲に延在する封隙体１９の間挿のもとで、保持部材７の外側の端面上に載置されており、且つ、固定ねじ１６によってその位置に保持されている。スピーカー８もしくは保持部材７のための固定ねじ１５、１６は、それぞれに、客室３とは反対側の上張り部材１の側面から組み付けられ、しかも、これら固定ねじ１５、１６が中空円筒体１１、１２の円筒状の中空部２０内にねじ込まれる。中空円筒体１１もしくは１２の円筒状の中空部２０は、内面ねじを有しているか、それとも、ねじ山無しに形成された円筒状の中空部２０内にねじ込まれる、ねじ山を形成した固定ねじ１５、１６が使用される。
【図面の簡単な説明】
【図１】  前方から、上張り部材、スピーカー遮蔽体、保持部材、およびスピーカーを、分解図において示した図である。
【図２】  後方から、載置されたスピーカー遮蔽体を有する上張り部材、保持部材、およびスピーカーを、また別の分解図において示した図である。
【図３】  後方から、組み付けられたスピーカー遮蔽体、載置された保持部材を有する上張り部材、およびまだ組み付けられていないスピーカーを、また別の分解図において示した図である。
【図４】  その際スピーカー遮蔽体と保持部材との間の固定装置が図示されている、図３の線ＩＶ−ＩＶに沿った断面図である。
【図５】  保持部材におけるスピーカーの固定装置を示した、図３の線Ｖ−Ｖに沿った断面図である。
【符号の説明】
１    上張り部材
２    ピラー上張り
３    客室
４    下方に位置する領域
５    スピーカー装置
６    スピーカー遮蔽体
７    保持部材
８    スピーカー
９    空隙部
１０  陥入部
１１  中空円筒体、  ドーム状部材
１２  中空円筒体、  ドーム状部材
１３  面
１４  端部
１５  固定ねじ
１６  固定ねじ
１７  収容部
１８  縁部
１９  封隙体
２０  円筒状の中空部
【図１】
0004210525.tif 000002
【図２】
0004210525.tif 000003
【図３】
0004210525.tif 000004
【図４】
0004210525.tif 000005
【図５】
0004210525.tif 000006